(57)【要約】      （修正有）【課題】連動元の障害復旧に対し連動先での連動障害警報を自動的に停止させて停止操作を不要とする。【解決手段】住警器１０−１の障害監視部６０はセンサ部３４の障害を検出した時に、連動元を示す障害警報を出力させると共に障害を示すイベント信号を他の住警器１０−２〜１０−５に送信し、一方、他の住警器１０−２〜１０−５から障害を示すイベント信号を受信した時に、連動先を示す障害警報を出力させる。障害復旧処理部６２は、センサ部３４の障害が検出されなくなった時に、連動元を示す障害警報を停止させる共に、障害復旧を示すイベント信号を他の住警器１０−１〜１０−５に送信し、一方、他の住警器１０−２〜１０−５から障害復旧を示すイベント信号を受信した時に、連動先を示す障害警報を停止させる。【選択図】図３
2010250715.tif 000002
【特許請求の範囲】
【請求項１】
イベント信号を他の警報器との間で送受信する送受信回路部と、
異常を検出するセンサ部と、
異常警報を出力する報知部と、
異常警報停止手段を備えた操作部と、
警報器と別体又は一体に設けられ、異常を検出するセンサ部からの異常検出信号を受けて、連動元を示す異常警報を出力させると共に、異常を示すイベント信号を他の警報器に送信し、一方、他の警報器から異常を示すイベント信号を受信した時に連動先を示す異常警報を出力させる異常監視部と、
を設けた警報器に於いて、
前記センサ部の障害を検出した時に、連動元を示す障害警報を出力させると共に、障害を示すイベント信号を他の警報器に送信し、一方、他の警報器から障害を示すイベント信号を受信した時に、連動先を示す障害警報を出力させる障害監視部と、
前記センサ部の障害が検出されなくなった時に、連動元を示す障害警報を停止させる共に、障害復旧を示すイベント信号を連動先の警報器に送信し、一方、他の警報器から障害復旧を示すイベント信号を受信した時に、連動先を示す障害警報を停止させる障害復旧処理部と、
を設けたことを特徴とする警報器。
【請求項２】
請求項１記載の警報器に於いて、更に、警報停止処理部を備え、
前記警報停止処理部は、
前記連動元を示す障害警報の出力中に、警報停止の操作を検出した時は連動元を示す障害警報を停止すると共に、警報停止のイベント信号を他の警報器に送信して障害警報を停止させ、一方、前記連動元を示す障害警報の出力中に、他の警報器から警報停止のイベント信号を受信した時は、前記連動元を示す障害警報を継続させるか又は停止させ、
前記連動先を示す障害警報の出力中に、警報停止の操作を検出した時は、前記連動先を示す障害警報を停止させると共に警報停止のイベント信号を他の警報器に送信し、一方、前記連動先を示す障害警報の出力中に、他の警報器から警報停止のイベント信号を受信した時は、前記連動先を示す障害警報を停止させることを特徴とする警報器。
【請求項３】
請求項２記載の警報器に於いて、前記障害監視部は、
前記センサ部の障害を検出して連動元を示す障害警報を出力している状態で、前記センサ部の障害が再度検出された時に、同じ状態を維持することを特徴とする警報器。
【請求項４】
請求項２記載の警報器に於いて、前記障害監視部は、
前記センサ部の障害を検出して連動元を示す障害警報を出力している状態で、他の警報器から障害検出を示すイベント信号を受信した時に、
前記センサ部の障害を検出し、他の警報器から障害を示すイベント信号を受信し、且つ連動元を示す障害警報を出力している状態、
前記センサ部の障害を検出し、他の警報器から障害を示すイベント信号を受信し、且つ連動先を示す障害警報を出力している状態、又は
連動先を示す障害警報を出力する状態、
のいずれかに遷移させることを特徴とする警報器。
【請求項５】
請求項２記載の警報器に於いて、前記障害監視部は、
前記センサ部の障害を検出して出力した連動元を示す障害警報を停止している状態で、前記センサ部の障害が再度検出された時に、同じ状態を維持することを特徴とする警報器。
【請求項６】
請求項２記載の警報器に於いて、前記障害監視部は、
前記センサ部の障害を検出して出力した連動元を示す障害警報を停止している状態で、他の警報器から障害復旧を示すイベント信号を受信した時に、
前記センサ部の障害を検出し、他の警報器から障害を示すイベント信号を受信し、且つ連動元を示す障害警報を出力している状態、
他の警報器から障害を示すイベント信号を受信して出力した連動先を示す障害警報を停止している状態、
前記センサ部の障害を検出し、他の警報器から障害を示すイベント信号を受信し、且つ連動先を示す障害警報を出力している状態、
連動先を示す障害警報を出力する状態、又は
前記センサ部の障害を検出し、他の警報器から障害を示すイベント信号を受信し、且つ障害警報を停止している状態、
のいずれかに遷移させることを特徴とする警報器。
【請求項７】
請求項２記載の警報器に於いて、前記障害監視部は、
他の警報器から障害を示すイベント信号を受信して連動先を示す障害警報を出力している状態で、前記センサ部の障害を検出した時に、
前記センサ部の障害を検出し、他の警報器から障害を示すイベント信号を受信し、且つ連動元を示す障害警報を出力している状態、
前記センサ部の障害を検出し、他の警報器から障害を示すイベント信号を受信し、且つ連動先を示す障害警報を出力している状態、又は
前記センサ部の障害を検出して連動元を示す障害警報を出力する状態、
のいずれかに遷移させることを特徴とする警報器。
【請求項８】
請求項２記載の警報器に於いて、前記障害監視部は、
他の警報器から障害を示すイベント信号を受信して連動先を示す障害警報を出力している状態で、他の警報器から障害検出を示すイベント信号を受信した時に、同じ状態を維持することを特徴とする警報器。
【請求項９】
請求項２記載の警報器に於いて、前記障害監視部は、
他の警報器から障害を示すイベント信号を受信して出力した連動先を示す障害警報を停止している状態で、前記センサ部の障害を検出した時に、
前記センサ部の障害を検出し、他の警報器から障害を示すイベント信号を受信し、且つ連動元を示す障害警報を出力している状態、
他の警報器から障害を示すイベント信号を受信して出力した連動先を示す障害警報を停止している状態、
前記センサ部の障害を検出し、他の警報器から障害を示すイベント信号を受信し、且つ連動先を示す障害警報を出力している状態、
連動元を示す障害警報を出力する状態、又は
連動元を示す障害警報を停止している状態
のいずれかに遷移させることを特徴とする警報器。
【請求項１０】
請求項２記載の警報器に於いて、前記障害監視部は、
他の警報器から障害を示すイベント信号を受信して出力した連動先を示す障害警報を停止している状態で、他の警報器から障害を示すイベント信号を受信した時に、
同じ状態を維持するか、又は連動先を示す障害警報を出力する状態に遷移させることを特徴とする警報器。
【請求項１１】
請求項２記載の警報器に於いて、前記障害監視部は、
前記センサ部の障害を検出し、他の警報器から障害を示すイベント信号を受信し、且つ連動元を示す障害警報を出力している状態で、前記センサ部の障害を再度検出した時に、同じ状態を維持することを特徴とする警報器。
【請求項１２】
請求項２記載の警報器に於いて、前記障害監視部は、前記センサ部の障害を検出し、他の警報器から障害を示すイベント信号を受信し、且つ連動元を示す障害警報を出力している状態で、他の警報器から障害を示すイベント信号を再度受信した時に、同じ状態を維持するか、又は連動先を示す障害警報を停止している状態に遷移させることを特徴とする警報器。
【請求項１３】
請求項２記載の警報器に於いて、前記障害監視部は、
前記センサ部の障害を検出し、他の警報器から障害を示すイベント信号を受信し、且つ連動先を示す障害警報を出力している状態で、前記センサ部の障害を再度検出した時に、
前記センサ部の障害を検出し、他の警報器から障害を示すイベント信号を受信し、且つ連動元を示す障害警報を出力している状態、又は
他の警報器から障害を示すイベント信号を受信して出力した連動先を示す障害警報を停止している状態、
のいずれかに遷移させることを特徴とする警報器。
【請求項１４】
請求項２記載の警報器に於いて、前記障害監視部は、
前記センサ部の障害を検出し、他の警報器から障害を示すイベント信号を受信し、且つ連動先を示す障害警報を出力している状態で、他の警報器から障害を示すイベント信号を受信した時に、
他の警報器から障害を示すイベント信号を受信して出力した連動先を示す障害警報を停止している状態、又は
前記センサ部の障害を検出し、他の警報器から障害を示すイベント信号を受信し、且つ連動元を示す障害警報を出力している状態、
のいずれかの状態に遷移させることを特徴とする警報器。
【請求項１５】
請求項２記載の警報器に於いて、前記障害監視部は、
前記センサ部の障害を検出し、他の警報器から障害を示すイベント信号を受信し、且つ障害警報を停止している状態で、前記センサ部の障害を再度検出した時に、
同じ状態を維持するか、
前記センサ部の障害を検出し、他の警報器から障害を示すイベント信号を受信し、且つ連動元を示す障害警報を出力している状態、又は
他の警報器から障害を示すイベント信号を受信して出力した連動先を示す障害警報を停止している状態、
のいずれかに遷移させることを特徴とする警報器。
【請求項１６】
請求項２記載の警報器に於いて、前記障害監視部は、
前記センサ部の障害を検出し、他の警報器から障害を示すイベント信号を受信し、且つ障害警報を停止している状態で、他の警報器から障害を示すイベント信号を受信した時に、
同じ状態を維持するか、
前記センサ部の障害を検出し、他の警報器から障害を示すイベント信号を受信し、且つ連動元を示す障害警報を出力している状態、又は
他の警報器から障害を示すイベント信号を受信して出力した連動先を示す障害警報を停止している状態、
のいずれかに遷移させることを特徴とする警報器。
【請求項１７】
請求項２記載の警報器に於いて、前記障害復旧処理部は、
前記センサ部の障害を検出して連動元を示す障害警報を出力している状態で、前記センサ部の障害が検出されなくなった時に、連動元を示す障害警報を停止して通常の監視状態に遷移させることを特徴とする警報器。
【請求項１８】
請求項２記載の警報器に於いて、前記障害復旧処理部は、
前記センサ部の障害を検出して連動元を示す障害警報を出力している状態で、他の警報器から障害復旧を示すイベント信号を受信した時に、連動先を示す障害警報の出力状態を維持することを特徴とする警報器。
【請求項１９】
請求項２記載の警報器に於いて、前記障害復旧処理部は、
前記センサ部の障害を検出して出力した連動元を示す障害警報を停止している状態で、前記センサ部の障害が検出されなくなった時に、通常の監視状態に遷移させることを特徴とする警報器。
【請求項２０】
請求項２記載の警報器に於いて、前記障害復旧処理部は、
前記センサ部の障害を検出して出力した連動元を示す障害警報を停止している状態で、他の警報器から障害復旧を示すイベント信号を受信した時に、連動元を示す障害警報の停止状態を維持することを特徴とする警報器。
【請求項２１】
請求項２記載の警報器に於いて、前記障害復旧処理部は、
他の警報器から障害を示すイベント信号を受信して連動先を示す障害警報を出力している状態で、他の警報器から障害復旧を示すイベント信号を受信した時に、通常の監視状態に遷移することを特徴とする警報器。
【請求項２２】
請求項２記載の警報器に於いて、前記障害復旧処理部は、
他の警報器から障害を示すイベント信号を受信して出力した連動先を示す障害警報を停止している状態で、他の警報器から障害復旧を示すイベント信号を受信した時に、通常の監視状態に遷移することを特徴とする警報器。
【請求項２３】
請求項２記載の警報器に於いて、前記障害復旧処理部は、
前記センサ部の障害を検出し、他の警報器から障害を示すイベント信号を受信し、且つ連動元を示す障害警報を出力している状態で、前記センサ部の障害が検出されなくなった時に、連動元を示す障害警報を停止して連動先を示す障害警報を出力する状態又は通常の監視状態に遷移させることを特徴とする警報器。
【請求項２４】
請求項２記載の警報器に於いて、前記障害復旧処理部は、前記センサ部の障害を検出し、他の警報器から障害を示すイベント信号を受信し、且つ連動元を示す障害警報を出力している状態で、他の警報器から障害復旧を示すイベント信号を受信した時に、連動元を示す障害警報を停止して連動先を示す障害警報を出力する状態に遷移させることを特徴とする警報器。
【請求項２５】
請求項２記載の警報器に於いて、前記障害復旧処理部は、
前記センサ部の障害を検出し、他の警報器から障害を示すイベント信号を受信し、且つ連動先を示す障害警報を出力している状態で、前記センサ部の障害が検出されなくなった時に、連動先を示す障害警報を出力する状態又は通常の監視状態に遷移させることを特徴とする警報器。
【請求項２６】
請求項２記載の警報器に於いて、前記障害復旧処理部は、
前記センサ部の障害を検出し、他の警報器から障害を示すイベント信号を受信し、且つ連動先を示す障害警報を出力している状態で、他の警報器から障害復旧を示すイベント信号を受信した時に、連動先を示す障害警報を停止して連動元を示す障害警報を出力する状態に遷移させることを特徴とする警報器。
【請求項２７】
請求項２記載の警報器に於いて、前記障害復旧処理部は、
前記センサ部の障害を検出し、他の警報器から障害を示すイベント信号を受信し、且つ障害警報を停止している状態で、前記センサ部の障害が検出されなくなった時に、連動先を示す障害警報を出力する状態、連動先を示す障害警報の停止状態、又は通常の監視状態に遷移させることを特徴とする警報器。
【請求項２８】
請求項２記載の警報器に於いて、前記障害復旧処理部は、
前記センサ部の障害を検出し、他の警報器から障害を示すイベント信号を受信し、且つ障害警報を停止している状態で、他の警報器から障害復旧を示すイベント信号を受信した時に、連動元を示す障害警報を出力する状態、又は連動元を示す障害警報の停止状態に遷移させることを特徴とする警報器。
【発明の詳細な説明】
【技術分野】
【０００１】
本発明は、火災などの異常を検出して警報すると共に他の警報器に信号を送信して警報を連動出力させる警報器に関する。
【背景技術】
【０００２】
従来、住宅における火災やガス漏れなどの異常を検出して警報する住宅用警報器（以下「住警器」という）が普及しており、近年にあっては、１つの住戸に複数の住警器を設置して部屋毎に火災などの異常を監視する傾向も増加している。
【０００３】
このように住戸内に複数の住警器を設置した場合、異常が発生した部屋とは別の部屋に人がいた場合、警報音が聞こえず火災などの災害が広がる恐れがある。このため、住警器同士を有線接続し、ある住警器で火災を検出して警報した場合、他の住警器に信号を送って同時に警報させる連動警報ができるようにしている。
【０００４】
しかしながら、住警器同士を有線接続することは、有線工事が必要なためにコストが高くなる問題がある。この問題は無線式の住警器とすることで解消可能である。しかも、最近における無線回路用ＩＣの低消費電力化に伴い、他の住警器からの信号を受信可能とするために常時受信可能な動作状態としても、たとえば５年を超えるような、実用に耐える電池寿命が保証され、無線式住警器を実用化する環境が整いつつある。
【０００５】
ところで、従来の連動警報を行う住警器にあっては、ある住警器で火災を検出した場合には、火災を検出した連動元の住警器と連動先の住警器とでは異なる警報音を出力している。例えば火災を検出した連動元の住警器は、「ウーウー火災警報器が作動しました  確認してください」との音声メッセージが連続して流れ、一方、連動先の住警器では「ウーウー別の火災警報器が作動しました  確認してください」という音声メッセージを連続して流すようにしている。また、連動元の住警器の赤ランプは明滅とし、連動先の住警器の赤ランプは点滅とし、赤ランプの表示からも連動元か連動先かが区別できるようにしている。
【０００６】
一方、住警器には点検スイッチを兼ねた警報停止スイッチが設けられており、警報出力中に引き紐などによりスイッチを操作すると警報を停止するようにしている。連動警報を行う住警器の場合、火災を検出した連動元の住警器の警報停止スイッチを操作すると、全ての住警器の警報が停止し、また連動先の住警器の警報停止スイッチを操作すると、その住警器の警報のみが停止するようにしている。
【０００７】
また、連動元の住警器で警報停止した場合、例えば火災検出の対象となった煙が残っていると、所定時間後に再び全ての住警器で警報する。
更に、従来の住警器にあっては、センサ部として機能する例えば検煙部の障害を監視する機能が設けられており、センサ部の障害を検出すると障害警報を出力するようにしている。連動警報を行うようにした住警器は、障害を検出した時に自分自身で連動元を示す障害警報を出し、同時に他の住警器からは連動先を示す障害警報を出すようにし、障害警報についても連動を行うようにしている。
【０００８】
このように障害警報が出された場合の警報停止についても、火災警報の場合と同様に、障害を検出した連動元の住警器の警報停止スイッチを操作すると、全ての住警器の障害警報が停止し、また連動先の住警器の警報停止スイッチを操作すると、その住警器の障害警報のみが停止するようにしている。
【先行技術文献】
【特許文献】
【０００９】
特開２００７−０９４７１９号公報
【発明の概要】
【発明が解決しようとする課題】
【００１０】
ところで、住警器に設けたセンサ部の障害は例えば検煙部から出力されている煙濃度検出信号の零点レベル以下、即ち煙の流入がないときの煙濃度検出信号が所定レベル以下となった時に障害として検出しているが、状況によっては、一時的に煙濃度検出信号が零点レベルを下回って障害が検出され、その後に、再び零点レベルに回復して障害が検出されなくなるような場合もある。
【００１１】
このような場合、障害を検出して連動元を示す障害警報を出力している住警器は、障害が検出されなくなった時に、障害復旧処理により連動元を示す障害警報を停止して通常の監視状態に戻る。
【００１２】
しかしながら、連動元の障害復旧により障害警報が停止されてしまうと、警報停止スイッチは警報中しか有効に機能しないため、障害復旧後に操作しても連動先の障害警報を停止することはできず、部屋を回りながら住警器の警報音を停止させる操作が必要であり、連動先の住警器の障害警報を停止するまでに手間と時間がかかる恐れがある。
【００１３】
本発明は、連動元の障害復旧により連動先の障害警報を自動的に復旧させて連動先の障害警報の停止操作を不要とする無線式の住警器を提供することを目的とする。
【課題を解決するための手段】
【００１４】
イベント信号を他の警報器との間で送受信する送受信回路部と、
異常を検出するセンサ部と、
異常警報を出力する報知部と、
異常警報停止手段を備えた操作部と、
警報器と別体又は一体に設けられ、異常を検出するセンサ部からの異常検出信号を受けて、連動元を示す異常警報を出力させると共に、異常を示すイベント信号を他の警報器に送信し、一方、他の警報器から異常を示すイベント信号を受信した時に連動先を示す異常警報を出力させる異常監視部と、
を設けた警報器に於いて、
センサ部の障害を検出した時に、連動元を示す障害警報を出力させると共に、障害を示すイベント信号を他の警報器に送信し、一方、他の警報器から障害を示すイベント信号を受信した時に、連動先を示す障害警報を出力させる障害監視部と、
センサ部の障害が検出されなくなった時に、連動元を示す障害警報を停止させる共に、障害復旧を示すイベント信号を連動先の警報器に送信し、一方、他の警報器から障害復旧を示すイベント信号を受信した時に、連動先を示す障害警報を停止させる障害復旧処理部と、
を設けたことを特徴とする。
【００１５】
本発明の警報器は、更に、警報停止処理部を備え、
警報停止処理部は、
連動元を示す障害警報の出力中に、警報停止の操作を検出した時は連動元を示す障害警報を停止すると共に、警報停止のイベント信号を他の警報器に送信して障害警報を停止させ、一方、連動元を示す障害警報の出力中に、他の警報器から警報停止のイベント信号を受信した時は、連動元を示す障害警報を継続させるか又は停止させ、
連動先を示す障害警報の出力中に、警報停止の操作を検出した時は、連動先を示す障害警報を停止させると共に警報停止のイベント信号を他の警報器に送信し、一方、連動先を示す障害警報の出力中に、他の警報器から警報停止のイベント信号を受信した時は、連動先を示す障害警報を停止させる。
（障害検出の態様）
障害監視部は、センサ部の障害を検出して連動元を示す障害警報を出力している状態で、センサ部の障害が再度検出された時に、同じ状態を維持する。
【００１６】
障害監視部は、センサ部の障害を検出して連動元を示す障害警報を出力している状態で、他の警報器から障害検出を示すイベント信号を受信した時に、
センサ部の障害を検出し、他の警報器から障害を示すイベント信号を受信し、且つ連動元を示す障害警報を出力している状態、
センサ部の障害を検出し、他の警報器から障害を示すイベント信号を受信し、且つ連動先を示す障害警報を出力している状態、又は
連動先を示す障害警報を出力する状態、
のいずれかに遷移させる。
【００１７】
障害監視部は、センサ部の障害を検出して出力した連動元を示す障害警報を停止している状態で、センサ部の障害が再度検出された時に、同じ状態を維持する。
【００１８】
障害監視部は、センサ部の障害を検出して出力した連動元を示す障害警報を停止している状態で、他の警報器から障害復旧を示すイベント信号を受信した時に、
センサ部の障害を検出し、他の警報器から障害を示すイベント信号を受信し、且つ連動元を示す障害警報を出力している状態、
他の警報器から障害を示すイベント信号を受信して出力した連動先を示す障害警報を停止している状態、
センサ部の障害を検出し、他の警報器から障害を示すイベント信号を受信し、且つ連動先を示す障害警報を出力している状態、
連動先を示す障害警報を出力する状態、又は
センサ部の障害を検出し、他の警報器から障害を示すイベント信号を受信し、且つ障害警報を停止している状態、
のいずれかに遷移させる。
【００１９】
障害監視部は、他の警報器から障害を示すイベント信号を受信して連動先を示す障害警報を出力している状態で、センサ部の障害を検出した時に、
センサ部の障害を検出し、他の警報器から障害を示すイベント信号を受信し、且つ連動元を示す障害警報を出力している状態、
センサ部の障害を検出し、他の警報器から障害を示すイベント信号を受信し、且つ連動先を示す障害警報を出力している状態、又は
センサ部の障害を検出して連動元を示す障害警報を出力する状態、
のいずれかに遷移させる。
【００２０】
障害監視部は、他の警報器から障害を示すイベント信号を受信して連動先を示す障害警報を出力している状態で、他の警報器から障害検出を示すイベント信号を受信した時に、同じ状態を維持する。
【００２１】
障害監視部は、他の警報器から障害を示すイベント信号を受信して出力した連動先を示す障害警報を停止している状態で、前記センサ部の障害を検出した時に、
センサ部の障害を検出し、他の警報器から障害を示すイベント信号を受信し、且つ連動元を示す障害警報を出力している状態、
他の警報器から障害を示すイベント信号を受信して出力した連動先を示す障害警報を停止している状態、
センサ部の障害を検出し、他の警報器から障害を示すイベント信号を受信し、且つ連動先を示す障害警報を出力している状態、
連動元を示す障害警報を出力する状態、又は
連動元を示す障害警報を停止している状態
のいずれかに遷移させる。
【００２２】
障害監視部は、他の警報器から障害を示すイベント信号を受信して出力した連動先を示す障害警報を停止している状態で、他の警報器から障害を示すイベント信号を受信した時に、同じ状態を維持するか、又は連動先を示す障害警報を出力する状態に遷移させる。
【００２３】
障害監視部は、センサ部の障害を検出し、他の警報器から障害を示すイベント信号を受信し、且つ連動元を示す障害警報を出力している状態で、センサ部の障害を再度検出した時に、同じ状態を維持する。
【００２４】
障害監視部は、センサ部の障害を検出し、他の警報器から障害を示すイベント信号を受信し、且つ連動元を示す障害警報を出力している状態で、他の警報器から障害を示すイベント信号を再度受信した時に、同じ状態を維持するか、又は連動先を示す障害警報を停止している状態に遷移させる。
【００２５】
障害監視部は、センサ部の障害を検出し、他の警報器から障害を示すイベント信号を受信し、且つ連動先を示す障害警報を出力している状態で、前記センサ部の障害を再度検出した時に、
センサ部の障害を検出し、他の警報器から障害を示すイベント信号を受信し、且つ連動元を示す障害警報を出力している状態、又は
他の警報器から障害を示すイベント信号を受信して出力した連動先を示す障害警報を停止している状態、
のいずれかに遷移させる。
【００２６】
障害監視部は、センサ部の障害を検出し、他の警報器から障害を示すイベント信号を受信し、且つ連動先を示す障害警報を出力している状態で、他の警報器から障害を示すイベント信号を受信した時に、
他の警報器から障害を示すイベント信号を受信して出力した連動先を示す障害警報を停止している状態、又は
センサ部の障害を検出し、他の警報器から障害を示すイベント信号を受信し、且つ連動元を示す障害警報を出力している状態、
のいずれかの状態に遷移させる。
【００２７】
障害監視部は、センサ部の障害を検出し、他の警報器から障害を示すイベント信号を受信し、且つ障害警報を停止している状態で、センサ部の障害を再度検出した時に、
同じ状態を維持するか、
センサ部の障害を検出し、他の警報器から障害を示すイベント信号を受信し、且つ連動元を示す障害警報を出力している状態、又は
他の警報器から障害を示すイベント信号を受信して出力した連動先を示す障害警報を停止している状態、
のいずれかに遷移させる。
【００２８】
障害監視部は、センサ部の障害を検出し、他の警報器から障害を示すイベント信号を受信し、且つ障害警報を停止している状態で、他の警報器から障害を示すイベント信号を受信した時に、
同じ状態を維持するか、
センサ部の障害を検出し、他の警報器から障害を示すイベント信号を受信し、且つ連動元を示す障害警報を出力している状態、又は
他の警報器から障害を示すイベント信号を受信して出力した連動先を示す障害警報を停止している状態、
のいずれかに遷移させる。
【００２９】
（障害復旧の態様）
障害復旧処理部は、センサ部の障害を検出して連動元を示す障害警報を出力している状態で、センサ部の障害が検出されなくなった時に、連動元を示す障害警報を停止して通常の監視状態に遷移させる。
【００３０】
障害復旧処理部はセンサ部の障害を検出して連動元を示す障害警報を出力している状態で、他の警報器から障害復旧を示すイベント信号を受信した時に、連動先を示す障害警報の出力状態を維持する。
【００３１】
障害復旧処理部は、センサ部の障害を検出して出力した連動元を示す障害警報を停止している状態で、センサ部の障害が検出されなくなった時に、通常の監視状態に遷移させる。
【００３２】
障害復旧処理部は、センサ部の障害を検出して出力した連動元を示す障害警報を停止している状態で、他の警報器から障害復旧を示すイベント信号を受信した時に、連動元を示す障害警報の停止状態を維持する。
【００３３】
障害復旧処理部は、他の警報器から障害を示すイベント信号を受信して連動先を示す障害警報を出力している状態で、他の警報器から障害復旧を示すイベント信号を受信した時に、通常の監視状態に遷移する。
【００３４】
障害復旧処理部は、他の警報器から障害を示すイベント信号を受信して出力した連動先を示す障害警報を停止している状態で、他の警報器から障害復旧を示すイベント信号を受信した時に、通常の監視状態に遷移する。
【００３５】
障害復旧処理部は、センサ部の障害を検出し、他の警報器から障害を示すイベント信号を受信し、且つ連動元を示す障害警報を出力している状態で、センサ部の障害が検出されなくなった時に、連動元を示す障害警報を停止して連動先を示す障害警報を出力する状態又は通常の監視状態に遷移させる。
【００３６】
障害復旧処理部は、センサ部の障害を検出し、他の警報器から障害を示すイベント信号を受信し、且つ連動元を示す障害警報を出力している状態で、他の警報器から障害復旧を示すイベント信号を受信した時に、連動元を示す障害警報を停止して連動先を示す障害警報を出力する状態に遷移させる。
【００３７】
障害復旧処理部は、センサ部の障害を検出し、他の警報器から障害を示すイベント信号を受信し、且つ連動先を示す障害警報を出力している状態で、センサ部の障害が検出されなくなった時に、連動先を示す障害警報を出力する状態又は通常の監視状態に遷移させる。
【００３８】
障害復旧処理部は、センサ部の障害を検出し、他の警報器から障害を示すイベント信号を受信し、且つ連動先を示す障害警報を出力している状態で、他の警報器から障害復旧を示すイベント信号を受信した時に、連動先を示す障害警報を停止して連動元を示す障害警報を出力する状態に遷移させる。
【００３９】
障害復旧処理部は、センサ部の障害を検出し、他の警報器から障害を示すイベント信号を受信し、且つ障害警報を停止している状態で、センサ部の障害が検出されなくなった時に、連動先を示す障害警報を出力する状態、連動先を示す障害警報の停止状態、又は通常の監視状態に遷移させる。
【００４０】
障害復旧処理部は、センサ部の障害を検出し、他の警報器から障害を示すイベント信号を受信し、且つ障害警報を停止している状態で、他の警報器から障害復旧を示すイベント信号を受信した時に、連動元を示す障害警報を出力する状態、又は連動元を示す障害警報の停止状態に遷移させる。
【発明の効果】
【００４１】
本発明によれば、連動元の警報器に設けたセンサ部の障害が検出されなくなった時に、連動元を示す障害警報を停止させると共に、障害復旧を示すイベント信号を他の警報器に送信させ、他の警報器から障害復旧を示すイベント信号を受信した時に、連動先を示す警報を停止させるようにしたため、連動元の警報器の障害復旧に連動して連動先の警報器の障害復旧が自動的に行われて警報を停止して通常の監視状態に入ることができ、連動元の警報器が障害復旧した後の連動先の警報器に対する障害警報の停止操作を不要にすることができる。
【図面の簡単な説明】
【００４２】
【図１】本発明による住警器の外観を示した説明図
【図２】住宅に対する住警器の設置状態を示した説明図
【図３】本発明による住警器の実施形態を示したブロック図
【図４】本実施形態で使用するイベント信号のフォーマットを示した説明図
【図５】本実施形態による連動警報と警報停止を示したタイムチャート
【図６】本実施形態による連動警報と火災復旧を示したタイムチャート
【図７】本実施形態による障害の連動警報と警報停止を示したタイムチャート
【図８】本実施形態による障害の連動警報と障害復旧を示したタイムチャート
【図９】本実施形態による基本処理を示したフローチャート
【図１０】本実施形態による火災監視処理を示したフローチャート
【図１１】本実施形態による障害監視処理を示したフローチャート
【図１２】本発明による住警器の発生イベントに対する状態遷移を一覧で示した説明図
【図１３】図１２の状態遷移に対応した効果説明の一覧を示した説明図
【図１４】図１３に続く効果説明の一覧を示した説明図
【図１５】図１４に続く効果説明の一覧を示した説明図
【図１６】図１５に続く効果説明の一覧を示した説明図
【発明を実施するための形態】
【００４３】
図１は本発明による無線式の住警器の外観を示した説明図であり、図１（Ａ）に正面図を、図１（Ｂ）に側面図を示している。
【００４４】
図１において、本実施形態の住警器１０はカバー１２と本体１４で構成されている。カバー１２の中央には、周囲に煙流入口を開口した検煙部１６が配置され、火災による煙が所定濃度に達したときに火災を検出するようにしている。
【００４５】
カバー１２に設けた検煙部１６の左下側には音響穴１８が設けられ、この背後にスピーカを内蔵し、警報音や音声メッセージを出力できるようにしている。検煙部１６の下側には警報停止スイッチ２０が設けられている。警報停止スイッチ２０は点検スイッチとしての機能を兼ねている。
【００４６】
警報停止スイッチ２０の内部には、点線で示すようにＬＥＤ２２が配置されており、ＬＥＤ２２が点灯すると、警報停止スイッチ２０のスイッチカバーの部分を透過してＬＥＤ２２の点灯状態が外部から分かるようにしている。
【００４７】
また本体１４の裏側上部には取付フック１５が設けられており、設置する部屋の壁にビスなどをねじ込み、このビスに取付フック１５で取り付けることで、壁面に住警器１０を設置することができる。
【００４８】
なお図１の住警器１０にあっては、検煙部１６を備えた火災による煙を検出する住警器を例に取っているが、これ以外に火災による熱を検出するサーミスタを備えた住警器や、火災以外にガス漏れを検出する住警器についても、本発明の対象に含まれる。
【００４９】
図２は住宅に対する本実施形態の住警器の設置状態を示した説明図である。図２の例にあっては、住宅２４に設けられている台所、居間、主寝室、子供部屋のそれぞれに本実施形態の住警器１０−１〜１０−４が設置され、更に屋外に建てられたガレージ２６にも住警器１０−５を設置している。
【００５０】
住警器１０−１〜１０−５のそれぞれは、イベント信号を相互に無線により送受信する機能を備えており、５台の住警器１０−１〜１０−５で１つのグループを構成して、この住宅全体の火災監視を行っている。
【００５１】
いま住宅２４の子供部屋で万一、火災が発生したとすると、住警器１０−４が火災を検出して警報を開始する。この火災を検出して警報を開始することを、住警器における「発報」という。住警器１０−４が発報すると、住警器１０−４は連動元として機能し、連動先となる他の住警器１０−１〜１０−３，１０−５に対し、火災発報を示すイベント信号を無線により送信する。他の住警器１０−１〜１０−３，１０−５にあっては、連動元の住警器１０−４からの火災発報を示すイベント信号を受信すると、連動先としての警報動作を行う。
【００５２】
ここで連動元となった住警器１０−４の警報音としては、例えば音声メッセージにより「ウーウー  火災警報器が作動しました  確認してください」を連続して出力する。一方、連動先の住警器１０−１〜１０−３，１０−５にあっては、「ウーウー  別の火災警報器が作動しました  確認してください」といった音声メッセージを連続して出力する。
【００５３】
住警器１０−１〜１０−５が警報音を出している状態で、図１に示した住警器に設けている警報停止スイッチ２０を操作すると、警報音の停止処理が行われる。ここで、本実施形態の警報音の停止処理としては次のいずれかの停止処理を行う。
【００５４】
（１）住警器１０−１〜１０−５の内の任意の住警器の警報停止スイッチを押すと、連動元の住警器１０−４のみが警報音を流し、連動先の住警器１０−１〜１０−３，１０−５は警報音を停止する。
【００５５】
（２）警報中の住警器１０−１〜１０−５の内の任意の住警器の警報停止スイッチを操作すると、連動先、連動元に関わらず、全ての住警器の警報音を停止する。
【００５６】
（３）前記（１）の停止処理を第１モード、前記（２）の停止処理を第２モードとし、いずれか一方のモードを選択して停止処理を行う。なお、以下の実施形態は（２）の停止処理を例にとる。
【００５７】
図３は本発明による住警器の実施形態を示したブロック図である。図３は図２に示した５台の住警器１０−１〜１０−５につき、その内の住警器１０−１について回路構成を詳細に示している。
【００５８】
住警器１０−１はＣＰＵ２８を備え、ＣＰＵ２８に対してはアンテナ３１を備えた無線回路部３０、記録回路部３２、センサ部３４、報知部３６、操作部３８及び電池電源４０を設けている。
【００５９】
無線回路部３０には送信回路４２と受信回路４４が設けられ、他の住警器１０−２〜１０−５との間でイベント信号を無線により送受信できるようにしている。無線回路部３０としては、日本国内の場合には、例えば４００ＭＨｚ帯の特定小電力無線局の標準規格として知られたＳＴＤ−３０（小電力セキュリティシステムの無線局の無線設備の標準規格）またはＳＴＤ−Ｔ６７（特定小電力無線局テレメータ用、テレコントロール用及びデータ伝送用無線設備の標準規格）に準拠した構成を備える。
【００６０】
もちろん無線回路部３０としては、日本国内以外の場所については、その地域の割当無線局の標準規格に準拠した内容を持つことになる。
【００６１】
記録回路部３２にはメモリ４６が設けられている。メモリ４６には住警器を特定するＩＤ（識別子）となる送信元符号５０と、図２のように複数の住警器で連動警報を行うグループを構成するためのグループ符号５２が格納されている。送信元符号５０としては、国内に提供される住警器の数を予測し、例えば同一符号として重複しないように２６ビットの符号コードが使用される。
【００６２】
グループ符号５２はグループを構成する複数の住警器に共通に設定される符号であり、無線回路部３０で受信した他の住警器からのイベント信号に含まれるグループ符号がメモリ４６に登録しているグループ符号５２に一致したときに、このイベント信号を有効な信号として受信して処理することになる。
【００６３】
またメモリ４６には状態記憶領域５５が設けられ、火災発報、連動元警報、他の住警器からの火災発報受信、連動先警報、警報停止といった各種の発生イベントを記憶し、新たに発生したイベントに対する状態の遷移制御を可能としている。この発生イベントの記憶は、発生イベントを順次記憶する方法と、前回の発生イベントに今回の発生イベントを上書きする方法がある。
【００６４】
なお本実施形態にあっては、記録回路部３２にメモリ４６を使用しているが、メモリ４６の代わりにディップスイッチを設け、ディップスイッチにより送信元符号５０やグループ符号５２を設定するようにしてもよい。送信元符号５０やグループ符号５２の符号長（ビット数）が少ない場合には、ディップスイッチを用いた記録回路部３２が望ましい。
【００６５】
センサ部３４には、本実施形態にあっては検煙部１６が設けられている。検煙部１６は煙濃度に応じた煙濃度検出信号を出力する。検煙部１６から煙濃度検出信号はＣＰＵ２８に取り込まれ（ＡＤ変換）、ＣＰＵ２８側で所定の火災レベルを超えると火災発報を判断し、また、検煙部１６からの煙濃度検出信号が低下して火災レベルを下回ることで火災発報がなくなったことを判断する。また、ＣＰＵ２８は検煙部１６からの煙濃度検出信号を所定の零点レベルと比較しており、零点レベルを下回るとセンサ障害と判断し、またセンサ障害を判断した後に再び零点レベルに回復すると、障害が復旧したと判断する。
【００６６】
センサ部３４には検煙部１６以外に、火災による温度を検出するサーミスタを設けてもよい。サーミスタの場合には、サーミスタの断線を検出してセンサ障害と判断する。またガス漏れ監視用の住警器の場合には、センサ部３４にガス漏れセンサが設けられることになる。
【００６７】
報知部３６にはスピーカ５８とＬＥＤ２２が設けられている。スピーカ５８は、図示しない音声合成回路部からの音声メッセージや警報音を出力して火災や障害を報知する。ＬＥＤ２２は点滅や明滅、点灯などにより、火災や障害を表示する。また報知部３６による警報は、自分自身で火災や障害を検出した場合は連動元を示す警報を出力し、他の住警器から火災や障害を通知された場合は、連動先を示す警報を出力する。
【００６８】
操作部３８には警報停止スイッチ２０が設けられている。警報停止スイッチ２０を操作すると、住警器１０−１から流している警報音を停止することができる。警報停止スイッチ２０は、本実施形態にあっては点検スイッチと兼用している。警報停止スイッチ２０は、報知部３６からスピーカ５８により警報音を出力しているときにのみ有効となる。一方、警報音を出力していない通常監視状態で警報停止スイッチ２０は点検スイッチとして機能し、点検スイッチを押すと、報知部３６から点検用の音声メッセージなどが出力される。
【００６９】
電池電源４０は、例えば所定セル数のアルカリ乾電池を使用しており、電池容量としては住警器１０−１における無線回路部３０を含む回路部全体の低消費電力化により、約１０年の電池寿命を保証している。
【００７０】
ＣＰＵ２８にはプログラムの実行により実現される機能として、異常監視部６０、障害監視部６２、障害復旧処理部６４及び警報停止処理部６６が設けられている。
【００７１】
異常監視部６０は、ＡＤ変換により読み込んだセンサ部３４に設けた検煙部１６から出力された煙濃度検出信号が所定の火災レベル以上となって火災発報を判別したときに、報知部３６のスピーカ５８から連動元を示す警報音例えば「ウーウー  火災警報器が作動しました  確認してください」を繰り返し出力させると共に、火災発報を示すイベント信号を無線回路部３０の送信回路４２によりアンテナ３１から他の住警器１０−２〜１０−５に向けて送信させる。
【００７２】
また異常監視部６０は、他の住警器１０−２〜１０−５のいずれかから火災発報を示すイベント信号を無線回路部３０の受信回路４４により受信したときに、報知部３６のスピーカ５８から連動先を示す警報音例えば「ウーウー  別の火災警報器が作動しました  確認してください」となる音声メッセージを連続的に出力させる。
【００７３】
ここで、異常監視部６０で火災発報を検出して連動元を示す警報音を出すときには、報知部３６のＬＥＤ２２を例えば明滅させる。一方、異常監視部６０で連動先を示す警報音を出す場合には、報知部３６のＬＥＤ２２を点滅させる。これによって、連動元を示す警報と連動先を示す警報におけるＬＥＤ２２の表示を区別できるようにしている。もちろん、連動元を示す警報と連動先を示す警報のいずれについても、同じＬＥＤ２２の明滅または点滅表示であってもよい。
【００７４】
更に異常監視部６０は、センサ部３４に設けた検煙部１６から出力されている煙濃度検出信号が検煙部１６から煙がなくなることで火災レベルを下回った時に、連動元を示す火災警報を停止させる共に、火災復旧を示すイベント信号を無線回路部３０の送信回路４２から連動先の住警器１０−２〜１０−５に送信させ、一方、他の住警器１０−２〜１０−５のいずれかから火災復旧を示すイベント信号を無線回路部３０の受信回路４４で受信した時に、連動先を示す火災警報を停止させる。
【００７５】
障害監視部６２は、ＡＤ変換により読み込んだセンサ部３４に設けた検煙部１６から出力された煙濃度検出信号が所定の零点レベルを下回ることでセンサ部３４の障害として検出された時に、自身で障害を検出していることを示す警報である連動元を示す障害警報を出力させると共に、障害を示すイベント信号を他の住警器１０−２〜１０−５に送信する。また障害監視部６２は、他の住警器１０−２〜１０−５から障害を示すイベント信号を受信した時に、他の住警器でセンサ部の障害が検出されていることを示す警報である連動先を示す障害警報を出力させる。
【００７６】
障害復旧処理部６４は、センサ部３４の障害が検出されなくなった時、即ち障害検出後に、ＡＤ変換により読み込んだセンサ部３４に設けた検煙部１６から出力された煙濃度検出信号が所定の零点レベルに回復した時に、連動元を示す障害警報を停止させる共に、障害復旧を示すイベント信号を他の住警器１０−２〜１０−５に送信する。また障害復旧処理部６４は、連動先を示す障害警報の出力中に、他の住警器１０−２〜１０−５から障害復旧を示すイベント信号を受信した時に、連動先を示す障害警報を停止させる。
【００７７】
警報停止処理部６６は、連動元を示す火災又は障害の警報出力中に操作部３８に設けている警報停止スイッチ２０の操作を検出したとき、スピーカ５８から出力している連動元を示す警報を停止させると共に、警報停止のイベント信号を無線回路部３０の送信回路４２から他の住警器１０−２〜１０−５に送信し、他の住警器１０−２〜１０−５における連動先の警報を停止させる。
【００７８】
この場合、スピーカ５８から出力している連動元を示す警報を停止させずに、警報停止のイベント信号を無線回路部３０の送信回路４２から他の住警器１０−２〜１０−５に送信し、他の住警器１０−２〜１０−５における連動先の警報を停止させ、連動元を示す警報だけは残すようにしても良い。
【００７９】
また警報停止処理部６６は、連動先を示す警報の出力中に操作部３８の警報停止スイッチ２０の操作を検出したとき、スピーカ５８から出力している連動先を示す警報音を停止させると共に、警報停止のイベント信号を無線回路部３０の送信回路４２から他の住警器１０−２〜１０−５に送信する。
【００８０】
更に警報停止処理部６６は、連動先を示す警報音の出力中に他の住警器１０−２〜１０−５から警報停止のイベント信号を無線回路部３０の受信回路４４により受信したときは、連動先を示す警報音を停止させる。
【００８１】
このような住警器１０−１に設けた回路部は他の住警器１０−２〜１０−５についても同様であり、メモリ４６に格納している送信元符号５０が各住警器固有の符号となっている。
【００８２】
図４は本実施形態で使用するイベント信号のフォーマットを示した説明図である。図４において、イベント信号４８は送信元符号５０、グループ符号５２及びイベント符号５４で構成されている。送信元符号５０は例えば２６ビットの符号である。またグループ符号５２は例えば８ビットの符号であり、同一グループを構成する例えば図３の５台の住警器１０−１〜１０−５につき同じグループ符号が設定されている。
【００８３】
なおグループ符号５２としては、同一グループの住警器に同一のグループ符号を設定する以外に、予め定めたグループを構成する住警器に共通な基準符号と、各住警器に固有な送信元符号との演算から求めた住警器ごとに異なるグループ符号であってもよい。
【００８４】
イベント符号５４は、火災、ガス漏れなどのイベント内容を表す符号であり、本実施形態にあっては２ビット符号を使用しており、例えば「００１」で火災、「０１０」でガス漏れ、「０１１」で復旧、「１００」で警報停止、「１０１」で障害、「１１０」で障害復旧、「１１１」をリザーブとしている。なおイベント符号５４のビット数は、イベントの種類が増加したときには更に４ビット、５ビットと増加させることで、複数種類のイベント内容を表すことができる。
【００８５】
図５は図３の実施形態による火災発報時の連動警報と警報停止を示したタイムチャートであり、図２に示したグループを構成する３台の住警器１０−１〜１０−３を例に取って処理を示している。
【００８６】
図５において、いま、住警器１０−１において火災が検出され、ステップＳ１で火災発報になったとすると、ステップＳ２で火災発報を示すイベント信号を通信可能エリアに設置している住警器１０−２，１０−３に対し無線送信する。
【００８７】
住警器１０−２，１０−３にあっては、住警器１０−１からのイベント信号を受信し、このイベント信号には図４に示したようにグループ符号５２が含まれており、住警器１０−２，１０−３のメモリに指定しているグループ符号と例えば同じであることから、グループ符号の一致によりイベント信号を有効な信号として受信し、そのイベント符号５４からステップＳ３，Ｓ４のそれぞれで火災発報を受信する。
【００８８】
火災を検出してイベント信号を送信した住警器１０−１は、ステップＳ５で連動元を示す警報音例えば「ウーウー  火災警報器が作動しました  確認してください」の音声メッセージを連続して出力する。一方、住警器１０−２，１０−３にあっては、ステップＳ６，Ｓ７のそれぞれで連動先を示す警報音例えば「ウーウー  別の火災警報器が作動しました  確認してください」となる音声メッセージを繰り返し出力する。
【００８９】
このような住警器１０−１〜１０−３における連動元警報または連動先警報の出力中に、例えば連動先となる住警器１０−２において警報停止スイッチ２０の操作がステップＳ８で検出されたとすると、ステップＳ９で警報停止を示すイベント信号が他の住警器１０−１，１０−３に対し送信される。
【００９０】
住警器１０−３にあっては、ステップＳ１１で警報停止のイベント信号を受信してイベント信号のグループ符号から有効信号であることを判別し、イベント内容から警報停止であることを認識し、ステップＳ１４で連動先を示す警報を停止する。
【００９１】
また、連動元の住警器１０−１にあっては、ステップＳ１０で警報停止のイベント信号を受信してグループ符号から有効信号であることを判別し、イベント内容から警報停止であることを認識し、ステップＳ１２で連動元を示す警報を停止する。
【００９２】
なお、連動元の住警器１０−１については、ステップＳ９で警報停止を認識しても、ステップＳ５で行った連動元警報を停止せず、継続的に連動元を示す警報音が出力するようにしても良い。これによって住警器１０−１〜１０−３の内の連動元の住警器１０−１の警報音のみが出力されており、別の部屋にいても火災発生場所が連動元を示す警報音から容易に判断できる。
【００９３】
ここで、図５にあっては、警報停止操作を連動先の住警器１０−２で行っているが、連動元の住警器１０−１又は連動先の住警器１０−３で行ったとしても、同様に連動元の住警器１０−１及び連動先の住警器１０−２，１０−３の全ての警報音を連動停止できる。
【００９４】
更に、ステップＳ８の警報停止操作により連動元の住警器１０−１及び連動先の住警器１０−３において警報音が停止したとしても、連動元の住警器１０−１に煙が残って火災検出状態が続いている場合には、警報停止のイベント信号の送信から規格上定めた１５分を超えない時間例えば１４分を経過した時点で火災発報のイベント信号を送信することで、連動元の住警器１０−１での連動元警報および連動先の住警器１０−２，１０−３での連動先警報を再度、出力させることになる。
【００９５】
図６は図３の実施形態による連動警報と火災復旧を示したタイムチャートであり、図２に示したグループを構成する３台の住警器１０−１〜１０−３を例に取って処理を示している。
【００９６】
図おいて、住警器１０−１において火災が検出され、ステップＳ２１で火災発報になったとすると、ステップＳ２２で火災発報を示すイベント信号を通信可能エリアに設置している住警器１０−２，１０−３に対し無線送信する。
【００９７】
住警器１０−２，１０−３にあっては、住警器１０−１からのイベント信号を受信し、このイベント信号には図４に示したようにグループ符号５２が含まれており、住警器１０−２，１０−３のメモリに指定しているグループ符号と例えば同じであることから、グループ符号の一致によりイベント信号を有効な信号として受信し、そのイベント符号５４からステップＳ２３，Ｓ２４のそれぞれで火災発報を受信する。
【００９８】
火災を検出してイベント信号を送信した住警器１０−１は、ステップＳ２５で連動元を示す警報音例えば「ウーウー  火災警報器が作動しました  確認してください」の音声メッセージを連続して出力する。一方、住警器１０−２，１０−３にあっては、ステップＳ２６，Ｓ２７のそれぞれで連動先を示す警報音例えば「ウーウー  別の火災警報器が作動しました  確認してください」となる音声メッセージを繰り返し出力する。
【００９９】
このような住警器１０−１〜１０−３における連動元警報または連動先警報の出力中に、連動元の住警器１０−１においてセンサ部３４からの火災検出信号がなくなってステップ火災Ｓ２８で火災復旧が判別されたとすると、ステップＳ２９で火災復旧を示すイベント信号を他の住警器１０−１，１０−３に送信し、ステップＳ３０で連動元を示す警報を停止し、通常の状態に戻る。
【０１００】
住警器１０−２，１０−３にあっては、ステップＳ３１，Ｓ３２で火災復旧のイベント信号を受信してグループ符号から有効信号であることを判別し、イベント内容から火災復旧であることを認識し、ステップＳ３３，Ｓ３４で連動先を示す警報を停止する。
【０１０１】
このため連動元の住警器１０−１で火災が検出されなくなって復旧した場合には、連動元を示す警報が自動的に停止され、同時に連動先の住警器１０−２，１０−３についても連動先を示す警報が自動的に停止し、連動先の住警器１０−２，１０−３を設置している部屋に出向いて警報停止スイッチを操作して警報を止める必要がなく、火災以外の原因で住警器が火災発報となった場合の対応を連動元の住警器のみの復旧、例えば現場確認により火災でなかった場合に、検煙部に息を吹き込んで煙を出すことにより復旧させることで、連動している警報を全て停止して通常の監視状態に戻すことができる。
【０１０２】
図７は図３の実施形態による障害時の連動警報と警報停止を示したタイムチャートであり、図２に示したグループを構成する３台の住警器１０−１〜１０−３を例に取って処理を示している。
【０１０３】
図７において、いま、住警器１０−１においてセンサ部３４に障害が発生し、ステップＳ４１でセンサ障害が検出されると、ステップＳ４２で障害を示すイベント信号を通信可能エリアに設置している住警器１０−２，１０−３に対し無線送信する。
【０１０４】
住警器１０−２，１０−３にあっては、住警器１０−１からのイベント信号を受信し、このイベント信号には図４に示したようにグループ符号５２が含まれており、住警器１０−２，１０−３のメモリに指定しているグループ符号と例えば同じであることから、グループ符号の一致によりイベント信号を有効な信号として受信し、そのイベント符号５４からステップＳ４３，Ｓ４４のそれぞれで障害を受信する。
【０１０５】
センサ障害を検出してイベント信号を送信した住警器１０−１は、ステップＳ４５で連動元を示す障害警報、例えば「ピ−ピ−ピー」といった長音の警報音を一定の時間置き出力し、同時にＬＥＤ２２を点滅する。一方、住警器１０−２，１０−３にあっては、ステップＳ４６，Ｓ４７のそれぞれで連動先を示す障害警報、例えば「ピッピッピッ」といった短音の警報音を一定の時間置き出力し、同時にＬＥＤ２２を点滅する。
【０１０６】
このような住警器１０−１〜１０−３における連動元を示す障害警報または連動先を示す警報の出力中に、例えば連動先となる住警器１０−２において警報停止スイッチ２０の操作がステップＳ４８で検出されたとすると、ステップＳ４９で警報停止を示すイベント信号が他の住警器１０−１，１０−３に対し送信される。
【０１０７】
住警器１０−３にあっては、ステップＳ５１で警報停止のイベント信号を受信してイベント信号のグループ符号から有効信号であることを判別し、イベント内容から警報停止であることを認識し、ステップＳ５４で連動先を示す障害警報を停止する。
【０１０８】
また、連動元の住警器１０−１にあっては、ステップＳ５０で警報停止のイベント信号を受信してグループ符号から有効信号であることを判別し、イベント内容から警報停止であることを認識し、ステップＳ５２で連動元を示す障害警報を停止する。
【０１０９】
なお、連動元の住警器１０−１については、ステップＳ５０で警報停止を認識しても、ステップＳ５２で行った連動元を示す障害警報を停止せず、継続的に連動元を示す障害警報が出力するようにしても良い。これによって住警器１０−１〜１０−３の内の連動元の住警器１０−１の障害警報のみが出力されており、別の部屋にいても障害発生場所が連動元を示す警報から容易に判断できる。
【０１１０】
ここで、図７にあっては、警報停止操作を連動先の住警器１０−２で行っているが、連動元の住警器１０−１又は連動先の住警器１０−３で行ったとしても、同様に連動元の住警器１０−１及び連動先の住警器１０−２，１０−３の全ての障害警報を連動停止できる。
【０１１１】
図８は図３の実施形態による障害検出時の連動警報と障害復旧を示したタイムチャートであり、図２に示したグループを構成する３台の住警器１０−１〜１０−３を例に取って処理を示している。
【０１１２】
図８おいて、住警器１０−１においてセンサ障害が発生し、ステップＳ６１でセンサ障害を検出したとすると、ステップＳ６２で障害を示すイベント信号を通信可能エリアに設置している住警器１０−２，１０−３に対し無線送信する。
【０１１３】
住警器１０−２，１０−３にあっては、ステップＳ６３，Ｓ６４のそれぞれで住警器１０−１からの障害イベント信号を受信する。この障害イベント信号には図４に示したようにグループ符号５２が含まれており、住警器１０−２，１０−３のメモリに指定しているグループ符号と例えば同じであることから、グループ符号の一致によりイベント信号を有効な信号として受信し、そのイベント符号５４から他の住警器でセンサ障害が検出されたことを判別する。
【０１１４】
センサ障害を検出してイベント信号を送信した住警器１０−１は、ステップＳ６５で連動元を示す障害警報音、例えば「ピーピーピー」を一定時間置きに繰り返し出力する。一方、住警器１０−２，１０−３にあっては、ステップＳ６６，Ｓ６７のそれぞれで連動先を示す警報音、例えば「ピッピッピッ」を一定時間置きに繰り返し出力する。
【０１１５】
このような住警器１０−１〜１０−３における連動元を示す障害警報または連動先を示す障害警報の出力中に、連動元の住警器１０−１においてセンサ部３４の障害復旧がステップＳ６８で判別されたとすると、ステップＳ６９で障害復旧を示すイベント信号を他の住警器１０−１，１０−３に送信し、ステップＳ７０で連動元を示す障害警報を停止し、通常の状態に戻る。
【０１１６】
住警器１０−２，１０−３にあっては、ステップＳ７１，Ｓ７２で障害復旧のイベント信号を受信してグループ符号から有効信号であることを判別し、イベント内容から障害復旧であることを認識し、ステップＳ７３，Ｓ７４で連動先を示す障害警報を停止する。
【０１１７】
このため連動元の住警器１０−１でセンサ障害が検出されなくなって復旧した場合には、連動元を示す障害警報が自動的に停止され、同時に連動先の住警器１０−２，１０−３についても連動先を示す障害警報が自動的に停止し、連動先の住警器１０−２，１０−３を設置している部屋に出向いて警報停止スイッチを操作して連動先を示す障害警報を止める必要がなく、連動元の住警器の障害復旧により連動関係にある住警器から出している障害警報を全て停止して通常の監視状態に戻すことができる。
【０１１８】
図９は図３の実施形態による基本処理を示したフローチャートである。図９において、住警器の処理は、内蔵電池による電源供給を有効化した電源投入時に、まずステップＳ８１で初期化および自己診断の処理を実行する。
【０１１９】
この処理には、図２に示すように、住宅２４及びガレージ２６に設置している５台の住警器１０−１〜１０−５をグループ化する処理、例えば図３の住警器１０−１〜１０−５の住警器１０−１に代表して示す記録回路部３２のメモリ４６に同一のグループ符号５２を登録する処理などを行う。続いてステップＳ８２で火災監視処理を実行し、続いてステップＳ８３の障害監視処理を実行し、これを繰り返すことになる。
【０１２０】
図１０は図３の実施形態による火災監視処理の一例を示したフローチャートであり、図３のＣＰＵ２８のプログラムの実行による処理となる。
【０１２１】
図１０において、ステップＳ９１で火災発報を監視しており、センサ部３４に設けた検煙部１６から火災検出信号が出力されると火災発報を判別してステップＳ９２に進み、火災発報を示すイベント信号を他の住警器に無線により送信する。続いてステップＳ９３で連動元を示す警報を出力する。
【０１２２】
続いて、ステップＳ９４でセンサ部３４に設けた検煙部１６から火災検出信号が出力されなくなる火災復旧の有無を判別しており、火災発報が継続している場合はステップＳ９５で警報停止スイッチによる警報停止操作の有無を判別し、警報停止操作が無ければステップＳ９６で他の住警器からの警報停止のイベント信号の受信の有無を判別する処理を繰り返している。なお、火災発報の継続中にあっては、所定時間毎に火災発報を示すイベント信号の送信を繰り返している。
【０１２３】
ステップＳ９４〜Ｓ９６の処理サイクル中に、センサ部３４に設けた検煙部１６から火災検出信号が出力されなくなるとステップＳ９４で火災復旧が判別され、ステップＳ９７で火災復旧のイベント信号を他の住警器に送信した後、ステップＳ９９に進んで連動元警報を停止し、この場合は通常の監視状態に戻る。
【０１２４】
またステップＳ９６で他の住警器から警報停止イベント信号の受信を判別すると、ステップＳ９９に進んで連動元警報を停止する。更に、ステップＳ９５で自己の警報停止操作を判別した場合はステップＳ９８に進んで他の住警器に警報停止イベント信号を送信した後、ステップＳ９９で連動元警報を停止する。
【０１２５】
なお、ステップＳ９５で自己の警報停止操作を判別した場合、またはステップＳ９６で他の住警器からの警報停止イベント信号を受信した場合について、ステップＳ９９の連動元警報の停止をスキップし、警報停止操作に対し連動元を示す警報のみは残すようにしても良い。
【０１２６】
一方、ステップＳ９１で火災発報でなかった場合には、ステップＳ１００で火災発報を示すイベント信号の他の住警器からの受信の有無を判別している。他の住警器から火災発報を示すイベント信号の受信を判別すると、ステップＳ１０１に進み、連動先を示す警報を出力する。
【０１２７】
続いてステップＳ１０２で他の住警器からの火災復旧を示すイベント信号の受信の有無を判別しており、火災復旧を示すイベント信号を受信するとステップＳ１０６に進んで連動先警報を停止し、この場合は通常の監視状態に戻る。
【０１２８】
続いてステップＳ１０３で他の住警器からの警報停止を示すイベント信号の受信の有無をチェックしており、警報停止を示すイベント信号の受信を判別すると、ステップＳ１０６で連動先を示す警報を停止する。
【０１２９】
続いてステップＳ１０４で警報停止スイッチによる警報停止操作の有無を判別しており、警報停止操作を判別するとステップＳ１０６で警報停止のイベント信号を他の住警器に送信した後、ステップＳ１０６で連動先を示す警報を停止する。
【０１３０】
図１１は図３の実施形態による障害監視処理の一例を示したフローチャートであり、図３のＣＰＵ２８のプログラムの実行による処理となる。
【０１３１】
図１１において、ステップＳ１１１でセンサ障害の検出の有無を監視しており、センサ部３４に設けた検煙部１６から煙濃度検出信号が所定の零点レベルを下回るとセンサ障害が検出されてステップＳ１１２に進み、センサ障害を示すイベント信号を他の住警器に無線により送信する。続いてステップＳ１１３で連動元を示す警報を出力する。
【０１３２】
続いて、ステップＳ１１４でセンサ部３４に設けた検煙部１６からの煙濃度検出信号が零点レベルに回復するか否か判別しており、センサ障害が継続している場合はステップＳ１１５で警報停止スイッチによる警報停止操作の有無を判別し、警報停止操作が無ければステップＳ１１６で他の住警器からの警報停止のイベント信号の受信の有無を判別する処理を繰り返している。なお、センサ障害の継続中にあっては、所定時間毎にセンサ障害を示すイベント信号の送信を繰り返している。
【０１３３】
ステップＳ１１４〜Ｓ１１６の処理サイクル中に、センサ部３４に設けた検煙部１６から煙濃度検出信号が零点レベルに回復するとステップＳ１１４で障害復旧が判別され、ステップＳ１１７で障害復旧のイベント信号を他の住警器に送信した後、ステップＳ１１９に進んで連動元警報を停止し、この場合は通常の監視状態に戻る。
【０１３４】
またステップＳ１１６で他の住警器から警報停止イベント信号の受信を判別すると、ステップＳ１１９に進んで連動元警報を停止する。更に、ステップＳ１１５で自己の警報停止操作を判別した場合はステップＳ１１８に進んで他の住警器に警報停止イベント信号を送信した後、ステップＳ１１９で連動元警報を停止する。
【０１３５】
なお、ステップＳ１１５で自己の警報停止操作を判別した場合、またはステップＳ１１６で他の住警器からの警報停止イベント信号を受信した場合について、ステップＳ１１９の連動元を示す警報の停止をスキップし、警報停止操作に対し連動元を示す警報のみは残すようにしても良い。
【０１３６】
一方、ステップＳ１１１でセンサ障害が検出されなかった場合には、ステップＳ１２０で障害を示すイベント信号の他の住警器からの受信の有無を判別している。他の住警器からセンサ障害を示すイベント信号の受信を判別すると、ステップＳ１２１に進み、連動先を示す障害警報を出力する。
【０１３７】
続いてステップＳ１２２で他の住警器からの障害復旧を示すイベント信号の受信の有無を判別しており、障害復旧を示すイベント信号を受信するとステップＳ１２６に進んで連動先を示す障害警報を停止し、この場合は通常の監視状態に戻る。
【０１３８】
続いてステップＳ１２３で他の住警器からの警報停止を示すイベント信号の受信の有無をチェックしており、警報停止を示すイベント信号の受信を判別すると、ステップＳ１２６で連動先を示す警報を停止する。
【０１３９】
続いてステップＳ１２４で警報停止スイッチによる警報停止操作の有無を判別しており、警報停止操作を判別するとステップＳ１２５で警報停止のイベント信号を他の住警器に送信した後、ステップＳ１２６で連動先を示す警報を停止する。
【０１４０】
図１２は、本発明による住警器の障害に関連するイベント発生に対する状態遷移の一覧を示した説明図であり、前述した実施形態における動作も含めて示している。
【０１４１】
図１２において、左欄には住警器の動作状態を「機器状態」として状態１〜８に分けて示しており、上欄には、各状態で住警器に発生するイベントを発生イベントＥ１〜Ｅ７に分けて示している。
【０１４２】
左欄の状態１〜８と上欄の発生イベントＥ１〜Ｅ７の交差する枠内には、現在の状態から発生イベントによって遷移する遷移先の状態１〜８を示している。遷移先の状態は原則として１つであるが、複数の遷移先をもつ場合もある。なお、ブランクは存在しない組合せを示す。
【０１４３】
また、図１２の状態遷移の動作説明において、住警器は次のような動作を行うことを前提としている。
（１）障害復旧時は、復旧信号を送信する。
（２）障害検出時は、障害信号を送信し、障害継続中は一定時間おきに自動的に障害信号を送信する。
（３）音響停止時は、音響停止信号を送信する。
【０１４４】
また、図１２の遷移先の状態に対しては符号ａ〜ａｓを付している場合がある。符号ａ〜ａｓは、ある状態からイベント発生で他の状態に遷移した場合に、どのような効果が得られるかを示す図１３〜図１６の効果説明の一覧との対応を示す符号である。
【０１４５】
次に図１２の状態１〜８の各々において、イベントＥ１〜Ｅ７が発生した場合の遷移動作を説明すると次のようになる。なお、成立しない組合せは説明を省略する。また障害検出と障害復旧を太枠で示す、更に、枠内に請求項との対応関係を示している。
【０１４６】
まず状態１は次のようになる。
【０１４７】
（状態１：発生イベントＥ１）  不成立
（状態１：発生イベントＥ２）
通常状態で障害検出となった場合であり、状態２の「連動元障害」に遷移する。
【０１４８】
（状態１：発生イベントＥ３）  不成立
（状態１：発生イベントＥ４）  不成立
（状態１：発生イベントＥ５）
通常状態で復旧信号受信となった場合であり、状態１を維持する。
【０１４９】
（状態１：発生イベントＥ６）
通常状態で障害信号受信となった場合であり、状態４の「連動先障害」に遷移する
（状態１：発生イベントＥ７）
通常状態で音響停止信号受信となった場合であり、状態１を維持するか、または状態５の「連動先障害＋音響停止」に遷移する。
【０１５０】
ここで遷移先の状態５については、効果説明符号ａが付されていることから、図１３の対応説明として、「本来先に届くはずの障害信号が届かなかったことが想定される。本状態とすることで、音停時間オーバーで連動先報知音が出力されるため、別の場所でも障害が起きていることをユーザーに認識させることができる。」とする効果が得られる。
【０１５１】
次に状態２を説明する。
【０１５２】
（状態２：発生イベントＥ１）（請求項１７）
連動元障害の状態で障害復旧となった場合であり、状態１の「通常」に遷移する。
【０１５３】
（状態２：発生イベントＥ２）（請求項３）
連動元障害の状態で障害検出となった場合であり、状態２の「連動元障害」を維持する。
【０１５４】
（状態２：発生イベントＥ３）
連動元障害の状態で音響停止操作となった場合であり、状態３の「連動元障害＋音響停止」に遷移する。
【０１５５】
（状態２：発生イベントＥ４）  不成立
（状態２：発生イベントＥ５）（請求項１８）
連動元障害の状態で復旧信号受信となった場合であり、状態２の「連動元障害」を維持する。
【０１５６】
（状態２：発生イベントＥ６）（請求項４）
連動元障害の状態で他の住警器からの障害信号受信となった場合であり、状態６の「連動元障害＋連動先障害（連動元鳴動）」、状態７の「連動元障害＋連動先障害（連動先鳴動）」または状態４の「連動先障害」に遷移する。
【０１５７】
このうち、状態６及び状態７への遷移は、住警器のメモリに発生イベントを順次記憶する場合であり、これに対し状態４への遷移は、前回の発生イベントに今回の発生イベントを上書きする場合であり、前回の発生イベントは失われる。
【０１５８】
ここで、状態７に遷移した場合は、対応符号ｂによる図１３の参照から、「別の場所でも障害が起きていることをユーザーに認識させることができる。」という効果が得られる。また、状態４に遷移した場合は、対応符号ｃによる図１３の参照から、「別の場所でも障害が起きていることをユーザーに認識させることができる。複数の状態を持たなくて良いため、メモリ容量が削減できる。」という効果が得られる。この場合のメモリ容量の削減はメモリに対する発生イベントの上書きによるものである。
【０１５９】
（状態２：発生イベントＥ７）
連動元障害の状態で他の住警器からの音響停止信号受信となった場合であり、状態２の「連動元障害」の維持、状態３の「連動元障害＋音響停止」、状態８の「連動元障害＋連動先障害＋音響停止」、または状態５の「連動先障害＋音響停止」に遷移する。
【０１６０】
ここで状態３に遷移した場合は、対応符号ｄによる図１８の参照から、「別の場所での操作により警報音を止められる。ユーザーの利便性を向上できる。」という効果が得られる。また、状態８に遷移した場合は、対応符号ｅによる図１３の参照から、「別の場所での操作により警報音を止められる。ユーザーの利便性を向上できる。」という同じ効果が得られる。
【０１６１】
さらに、状態５に遷移した場合は、対応符号ｆによる図１３の参照から、「別の場所での操作により警報音を止められる。ユーザーの利便性を向上できる。連動先障害の状態を持つので、音停時間オーバーで連動先報知音が出力されるため、別の場所でも障害が起きていることをユーザーに認識させることができる。複数の状態を持たなくて良いため、メモリ容量が削減できる。」という同じ効果が得られる。
【０１６２】
次に状態３を説明する。
【０１６３】
（状態３：発生イベントＥ１）（請求項１９）
「連動元障害＋音響停止」の状態で障害復旧となった場合であり、状態１の「通常」に遷移する。
【０１６４】
（状態３：発生イベントＥ２）（請求項５）
「連動元障害＋音響停止」の状態で障害検出となった場合であり、状態３の「連動元障害＋音響停止」を維持する。
【０１６５】
（状態３：発生イベントＥ３）
「連動元障害＋音響停止」の状態で音響停止操作となった場合であり、状態３の「連動元障害＋音響停止」を維持するか、または、状態２の「連動元障害」に遷移する。
【０１６６】
ここで、状態２に遷移した場合は、対応符号ｇによる図１３の参照から、「障害が継続中であることをユーザーに認識させることができる。」という効果が得られる。
【０１６７】
（状態３：発生イベントＥ４）
「連動元障害＋音響停止」の状態で音停時間オーバーとなった場合であり、状態２の「連動元障害」を維持する。
【０１６８】
（状態３：発生イベントＥ５）（請求項２０）
「連動元障害＋音響停止」の状態で復旧信号受信となった場合であり、状態３の「連動元障害＋音響停止」を維持する。
【０１６９】
（状態３：発生イベントＥ６）（請求項６）
「連動元障害＋音響停止」の状態で他の住警器からの障害信号受信となった場合であり、状態６の「連動元障害＋連動先障害（連動元警報）」、状態７の「連動元障害＋連動先障害（連動先警報）」、状態８の「連動元障害＋連動先障害＋音響停止」、状態４の「連動先障害」、または状態５の「連動先障害＋音響停止」に遷移する。
【０１７０】
ここで、状態７に遷移した場合は、対応符号ｈによる図１３の参照から、「別の場所でも障害が起きていることをユーザーに認識させることができる。」という効果が得られる。
【０１７１】
また、状態８に遷移した場合は、対応符号ｉによる図１３の参照により、「連動先障害の状態を持つので、音停時間オーバーで連動先報知音を出力することもできるため、別の場所でも障害が起きていることをユーザーに認識させることができる。」という効果が得られる。
【０１７２】
また、状態４に遷移した場合は、対応符号ｊによる図１３の参照から、「別の場所でも障害が起きていることをユーザーに認識させることができる。複数の状態を持たなくて良いため、メモリ容量が削減できる。」という効果が得られる。
【０１７３】
さらに、状態５に遷移した場合は、対応符号ｋによる図１３の参照から、「連動先障害の状態を持つので、音停時間オーバーで連動先報知音が出力されるため、別の場所でも障害が起きていることをユーザーに認識させることができる。複数の状態を持たなくて良いため、メモリ容量が削減できる。」という効果が得られる。
【０１７４】
（状態３：発生イベントＥ７）
「連動元障害＋音響停止」の状態で他の住警器からの音響停止信号受信となった場合であり、状態３を維持するか、状態８の「連動元障害＋連動先障害＋音響停止」、または状態５の「連動先障害＋音響停止」に遷移する。
【０１７５】
ここで、状態８に遷移した場合は、対応符号ｌによる図１４の参照から、「連動先障害の状態を持つので、音停時間オーバーで連動先報知音を出力することもできるため、別の場所でも障害が起きていることをユーザーに認識させることもできる。」という効果が得られる。
【０１７６】
また、状態５に遷移した場合は、対応符号ｍによる図１４の参照から、「連動先障害の状態を持つので、音停時間オーバーで連動先報知音が出力されるため、別の場所でも障害が起きていることをユーザーに認識させることができる。複数の状態を持たなくて良いため、メモリ容量が削減できる。」という効果が得られる。
【０１７７】
次に状態４を説明する。
【０１７８】
（状態４：発生イベントＥ１）  不成立
（状態４：発生イベントＥ２）（請求項７）
「連動先障害」の状態で障害検出となった場合であり、状態６の「連動元障害＋連動先障害（連動元警報）」、状態７の「連動元障害＋連動先障害（連動先警報）」、または、状態２の「連動元障害」に遷移する。
【０１７９】
ここで、状態７に遷移した場合は、対応符号ｎによる図１４の参照から、「別の場所でも障害が起きていることをユーザーに再度認識させることができる。」という効果が得られる。また、状態２に遷移した場合は、対応符号ｏによる図１４の参照から、「自身の障害を優先して報知する。複数の状態を持たなくて良いため、メモリ容量が削減できる。」という効果が得られる。
【０１８０】
（状態４：発生イベントＥ３）
「連動先障害」の状態で音響停止操作となった場合であり、状態５の「連動元障害＋音響停止」に遷移する。
【０１８１】
（状態４：発生イベントＥ４）  不成立
（状態４：発生イベントＥ５）（請求項２１）
「連動先障害」の状態で復旧信号受信となった場合であり、状態１の「通常」に遷移する。
【０１８２】
（状態４：発生イベントＥ６）（請求項８）
「連動先障害」の状態で他の住警器からの障害信号受信となった場合であり、状態４の「連動先障害」を維持する。
【０１８３】
（状態４：発生イベントＥ７）
「連動先障害」の状態で他の住警器からの音響停止信号受信となった場合であり、状態５の「連動先障害＋音響停止」に遷移する。
【０１８４】
次に状態５を説明する。
【０１８５】
（状態５：発生イベントＥ１）  不成立
（状態５：発生イベントＥ２）（請求項９）
「連動先障害＋音響停止」の状態で障害検出となった場合であり、状態６の「連動元障害＋連動先障害（連動元警報）」、状態７の「連動元障害＋連動先障害（連動先警報）」、状態８の「連動元障害＋連動先障害＋音響停止」、状態２の「連動元障害」、または状態３の「連動元障害＋音響停止」に遷移する。
【０１８６】
ここで、状態７に遷移した場合は、対応符号ｐによる図１４の参照から、「別の場所でも障害が起きていることをユーザーに再認識させることができる。」という効果が得られる。
【０１８７】
また、状態８に遷移した場合は、対応符号ｑによる図１４の参照により、「音響停止状態を維持するため、ユーザーを混乱させない。」という効果が得られる。
【０１８８】
また、状態２に遷移した場合は、対応符号ｒによる図１４の参照から、「自身の障害を優先して報知する。複数の状態を持たなくて良いため、メモリ容量が削減できる。」という効果が得られる。
【０１８９】
さらに、状態３に遷移した場合は、対応符号ｓによる図１９の参照から、「自身の障害を優先するが音響は出力しない。音響停止状態を維持するため、ユーザーを混乱させない。複数の状態を持たなくて良いため、メモリ容量が削減できる。」という効果が得られる。
【０１９０】
（状態５：発生イベントＥ３）
「連動先障害＋音響停止」の状態で音響停止操作となった場合であり、状態５を維持するか、または、状態４の「連動先障害」に遷移する。
【０１９１】
ここで、状態４に遷移した場合は、対応符号ｔによる図１４の参照から、「別の場所の障害が継続中であることをユーザーに認識させることができる。」という効果が得られる。
【０１９２】
（状態５：発生イベントＥ４）
「連動先障害＋音響停止」の状態で復旧信号受信となった場合であり、状態４の「連動先障害」に遷移する。
【０１９３】
（状態５：発生イベントＥ５）（請求項２１）
「連動先障害＋音響停止」の状態で音停時間オーバーとなった場合であり、状態１の「通常」に遷移する。
【０１９４】
（状態３：発生イベントＥ６）（請求項１０）
「連動先障害＋音響停止」の状態で他の住警器からの障害信号受信となった場合であり、状態５の「連動先障害＋警報停止」、または状態４の「連動先障害」に遷移する。
【０１９５】
ここで、状態４に遷移した場合は、対応符号ｕによる図１４の参照から、「別の場所の障害が継続中であることをユーザーに認識させることができる。」という効果が得られる。
【０１９６】
（状態５：発生イベントＥ７）
「連動先障害＋音響停止」の状態で他の住警器からの音響停止信号受信となった場合であり、状態５を維持するか、または状態４の「連動先障害」に遷移する。
【０１９７】
ここで、状態４に遷移した場合は、対応符号ｖによる図１４の参照から、「別の場所の障害が継続中であることをユーザーに認識させることができる。」という効果が得られる。
【０１９８】
次に状態６を説明する。
【０１９９】
（状態６：発生イベントＥ１）（請求項２３）
「連動元障害＋連動先障害（連動元鳴動）」の状態で障害復旧となった場合であり、状態４の「連動先障害」、または状態１の「通常」に遷移する。
【０２００】
ここで、状態１に遷移した場合は、対応符号ｗによる図１４の参照から、「複数の状態を持たなくて良いため、メモリ容量が削減できる。」という効果が得られる。
【０２０１】
（状態６：発生イベントＥ２）（請求項１１）
「連動元障害＋連動先障害（連動元鳴動）」の状態で障害検出となった場合であり、状態６を維持する。
【０２０２】
（状態６：発生イベントＥ３）
「連動元障害＋連動先障害（連動元鳴動）」の状態で音響停止操作となった場合であり、状態８の「連動元障害＋連動先障害＋音響停止」に遷移するか、または、状態７の「連動元障害＋連動先障害（連動先鳴動）」に遷移する。
【０２０３】
ここで、状態７に遷移した場合は、対応符号ｘによる図１４の参照から、「別の場所の障害が継続中であることをユーザーに認識させることができる。」という効果が得られる。
【０２０４】
（状態６：発生イベントＥ４）  不成立
（状態６：発生イベントＥ５）（請求項２４）
「連動元障害＋連動先障害（連動元鳴動）」の状態で復旧信号受信となった場合であり、状態２の「連動元障害」に遷移する。
【０２０５】
（状態６：発生イベントＥ６）（請求項１２）
「連動元障害＋連動先障害（連動元鳴動）」の状態で他の住警器からの障害信号受信となった場合であり、状態６を維持するか、または状態７の「連動元障害＋連動先障害（連動先鳴動）」に遷移する。
【０２０６】
ここで、状態７に遷移した場合は、対応符号ｙによる図１４の参照から、「別の場所の障害が継続中であることをユーザーに認識させることができる。」という効果が得られる。
【０２０７】
（状態６：発生イベントＥ７）
「連動元障害＋連動先障害（連動先鳴動）」の状態で他の住警器からの音響停止信号受信となった場合であり、状態６を維持するか、状態８の「連動元障害＋連動先障害＋音響停止」、または状態７の「連動元障害＋連動先障害（連動先鳴動）」に遷移する。
【０２０８】
ここで、状態８に遷移した場合は、対応符号ｚによる図１５の参照から、「別の場所での操作により警報音を止められる。ユーザーの利便性を向上できる。」という効果が得られる。また、状態７に遷移した場合は、対応符号ａａによる図１５の参照から、「別の場所の障害が継続中であることをユーザーに認識させることができる。」という効果が得られる。
【０２０９】
次に状態７を説明する。
【０２１０】
（状態７：発生イベントＥ１）（請求項２５）
「連動元障害＋連動先障害（連動先鳴動）」の状態で障害復旧となった場合であり、状態４の「連動先障害」、または状態１の「通常」に遷移する。
【０２１１】
ここで、状態１に遷移した場合は、対応符号ａｂによる図１５の参照から、「複数の状態を持たなくて良いため、メモリ容量が削減できる。」という効果が得られる。
【０２１２】
（状態７：発生イベントＥ２）（請求項１３）
「連動元障害＋連動先障害（連動先鳴動）」の状態で障害検出となった場合であり、状態６の「連動元障害＋連動先障害（連動元警報）」に遷移するか、または状態７の「連動元障害＋連動先障害（連動先警報）」を維持する。
【０２１３】
ここで、状態７を維持した場合は、対応符号ａｃによる図１５の参照から、「障害が継続中であることをユーザーに認識させることができる。」という効果が得られる。
【０２１４】
（状態７：発生イベントＥ３）
「連動元障害＋連動先障害（連動先鳴動）」の状態で音響停止操作となった場合であり、状態８の「連動元障害＋連動先障害＋音響停止」に遷移するか、または、状態６の「連動元障害＋連動先障害（連動元鳴動）」に遷移する。
【０２１５】
ここで、状態６に遷移した場合は、対応符号ａｄによる図１５の参照から、「障害が継続中であることをユーザーに認識させることができる。」という効果が得られる。
【０２１６】
（状態７：発生イベントＥ４）  不成立
（状態７：発生イベントＥ５）（請求項２６）
「連動元障害＋連動先障害（連動先鳴動）」の状態で復旧信号受信となった場合であり、状態２の「連動元障害」に遷移する。
【０２１７】
（状態７：発生イベントＥ６）（請求項１４）
「連動元障害＋連動先障害（連動先鳴動）」の状態で他の住警器からの障害信号受信となった場合であり、状態７の「連動元障害＋連動先障害（連動先鳴動）」を維持するか、又は状態６の「連動元障害＋連動先障害（連動元鳴動）」に遷移する。
【０２１８】
ここで、状態６に遷移した場合は、対応符号ａｅによる図１５の参照から、「別の場所の障害が継続中であることをユーザーに認識させることができる。」という効果が得られる。
【０２１９】
（状態７：発生イベントＥ７）
「連動元障害＋連動先障害（連動先鳴動）」の状態で他の住警器からの音響停止信号受信となった場合であり、状態７の「連動元障害＋連動先障害（連動先鳴動）」を維持するか、状態８の「連動元障害＋連動先障害＋音響停止」、または、状態６の「連動元障害＋連動先障害（連動元鳴動）」に遷移する。
【０２２０】
ここで、状態８に遷移した場合は、対応符号ａｆによる図１５の参照から、「別の場所での操作により警報音を止められる。ユーザーの利便性を向上できる。」という効果が得られる。また、状態６に遷移した場合は、対応符号ａｇによる図１５の参照から、「障害が継続中であることをユーザーに認識させることができる。」という効果が得られる。
【０２２１】
次に状態８を説明する。
【０２２２】
（状態８：発生イベントＥ１）（請求項２７）
「連動元障害＋連動先障害＋音響停止」の状態で障害復旧となった場合であり、状態４の「連動先障害」、状態５の「連動先障害＋音響停止」、または状態１の「通常」に遷移する。
【０２２３】
ここで、状態５に遷移した場合は、対応符号ａｈによる図１５の参照から、「別の場所の障害が継続中であることをユーザーに認識させることができる。」という効果が得られる。また状態１に遷移した場合は、対応符号ａｉによる図１５の参照から、「複数の状態を持たなくて良いため、メモリ容量が削減できる。」という効果が得られる。
【０２２４】
（状態８：発生イベントＥ２）（請求項１５）
「連動元障害＋連動先障害＋音響停止」の状態で障害検出となった場合であり、状態８を維持するか、状態６の「連動元障害＋連動先障害（連動元警報）」、または状態７の「連動元障害＋連動先障害（連動先警報）」に遷移する。
【０２２５】
ここで、状態６に遷移した場合は、対応符号ａｊによる図１５の参照から、「障害が継続中であることをユーザーに認識させることができる。」という効果が得られる。また状態７に遷移した場合は、対応符号ａｋによる図１５の参照から、「別の場所の障害が継続中であることをユーザーに認識させることができる。」という効果が得られる。
【０２２６】
（状態８：発生イベントＥ３）
「連動元障害＋連動先障害＋音響停止」の状態で音響停止操作となった場合であり、状態８を維持するか、状態６の「連動元障害＋連動先障害（連動元警報）」、または状態７の「連動元障害＋連動先障害（連動先警報）」に遷移する。
【０２２７】
ここで、状態６に遷移した場合は、対応符号ａｌによる図１５の参照から、「障害が継続中であることをユーザーに認識させることができる。」という効果が得られる。また、状態７に遷移した場合は、対応符号ａｍによる図１５の参照から、「別の場所の障害が継続中であることをユーザーに認識させることができる。」という効果が得られる。
【０２２８】
（状態８：発生イベントＥ４）
「連動元障害＋連動先障害＋音響停止」の状態で音停時間オーバーとなった場合であり、状態６の「連動元障害＋連動先障害（連動元警報）」、または状態７の「連動元障害＋連動先障害（連動先鳴動）」に遷移する。
【０２２９】
ここで、状態７に遷移した場合は、対応符号ａｎによる図１５の参照から、「別の場所の障害が継続中であることをユーザーに認識させることができる。」という効果が得られる。
【０２３０】
（状態８：発生イベントＥ５）（請求項２８）
「連動元障害＋連動先障害＋音響停止」の状態で復旧信号受信となった場合であり、状態２の「連動元障害」、または状態３の「連動元障害＋音響停止」に遷移する。
【０２３１】
ここで、状態３に遷移した場合は、対応符号ａｏによる図１５の参照から、「自身の障害を優先するが音響は出力しない。音響停止状態を維持するため、ユーザーを混乱させない。」という効果が得られる。
【０２３２】
（状態８：発生イベントＥ６）（請求項１６）
「連動元障害＋連動先障害＋音響停止」の状態で他の住警器からの障害信号受信となった場合であり、状態８を維持するか、状態６の「連動元障害＋連動先障害（連動元鳴動）」、または状態７の「「連動元障害＋連動先障害（連動先鳴動）」に遷移する。
【０２３３】
ここで、状態６に遷移した場合は、対応符号ａｐによる図１６の参照から、「障害が継続中であることをユーザーに認識させることができる。」という効果が得られる。また、状態７に遷移した場合は、対応符号ａｑによる図１６の参照から、「別の場所の障害が継続中であることをユーザーに認識させることができる。」という効果が得られる。
【０２３４】
（状態８：発生イベントＥ７）
「連動元障害＋連動先障害＋音響停止」の状態で他の住警器からの音響停止信号受信となった場合であり、状態８を維持するか、状態６の「連動元障害＋連動先障害（連動元鳴動）」、または状態７の「「連動元障害＋連動先障害（連動先鳴動）」に遷移する。
【０２３５】
ここで、状態６に遷移した場合は、対応符号ａｒによる図１６の参照から、「障害が継続中であることをユーザーに認識させることができる。」という効果が得られる。また、状態７に遷移した場合は、対応符号ａｓによる図１６の参照から、「別の場所の障害が継続中であることをユーザーに認識させることができる。」という効果が得られる。
【０２３６】
なお、上記の実施形態に示した住警器は、火災時に発生する煙を観測して火災を検出する煙式の火災住警器であるが、熱を観測する熱式のものや炎からの赤外線や紫外線を観測するもの等であっても良い。
【０２３７】
また上記の実施形態にあっては、住警器の障害としてセンサ障害を例に取るものであったが、ローバッテリー障害などの障害や、それ以外の適宜の障害についても、同様に適用することができる。
【０２３８】
また上記の実施形態は異常として火災を検出する住警器を例に取るものであったが、これ以外にガス漏れ警報器や防犯用警報器など、それ以外の異常を検出する警報器にそのまま適用することができる。また住宅用に限らずビルやオフィス用など各種用途の警報器にも適用できる。
【０２３９】
また、上記の実施形態は警報器にセンサ部と警報出力処理部を一体に設けた場合を例にとるが、他の実施形態として、センサ部と警報出力処理部を別体とした警報器であっても良い。
【０２４０】
また上記の実施形態は無線式の住警器における障害警報を例に取るものであったが、有線式の住警器の障害警報についても、同様に適用することができる。
【０２４１】
また本発明はその目的と利点を損なうことのない適宜の変形を含み、更に上記の実施形態に示した数値による限定は受けない。
【符号の説明】
【０２４２】
１０，１０−１〜１０−５：住警器
１２：カバー
１４：本体
１５：取付フック
１６：検煙部
１８：音響孔
２０：警報停止スイッチ
２２：ＬＥＤ
２４：住宅
２６：ガレージ
２８：ＣＰＵ
３１：アンテナ
３０：無線回路部
３２：記録回路部
３４：センサ部
３６：報知部
３８：操作部
４０：電池電源
４２：送信回路
４４：受信回路
４６：メモリ
４８：イベント信号
５０：送信元符号
５２：グループ符号
５４：イベント符号
５５：状態記憶領域
５８：スピーカ
６０：異常監視部
６２：障害監視部
６４：障害復旧処理部
６６：警報停止処理部
【図１】
2010250715.tif 000003
【図２】
2010250715.tif 000004
【図３】
2010250715.tif 000005
【図４】
2010250715.tif 000006
【図５】
2010250715.tif 000007
【図６】
2010250715.tif 000008
【図７】
2010250715.tif 000009
【図８】
2010250715.tif 000010
【図９】
2010250715.tif 000011
【図１０】
2010250715.tif 000012
【図１１】
2010250715.tif 000013
【図１２】
2010250715.tif 000014
【図１３】
2010250715.tif 000015
【図１４】
2010250715.tif 000016
【図１５】
2010250715.tif 000017
【図１６】
2010250715.tif 000018